(57)【要約】【課題】  作業服について、昼間には通常の作業服として、且つ夜間には安全作業服として使用できる昼夜兼用のものを提供する。【解決手段】  少なくとも一方の長袖に開閉自在な筒状の折り込み部を設定し、該折り込み部の表側に再帰反射シートを取り付けて袖反射部を形成するとともに、袖口の裏側に所定幅の再帰反射シートを取り付けて袖口反射部を形成し、昼間使用時には、長袖の折り込み部を畳んで袖反射部を隠蔽し且つ袖口はそのままで着用し、夜間使用時には、長袖の折り込み部を開いて袖反射部を表示させ、さらに袖口を折り返して裏側の袖口反射部を表示させる。【選択図】図１
0003103267.tif 000002
【実用新案登録請求の範囲】
【請求項１】
少なくとも一方の長袖に開閉自在な筒状の折り込み部を設定し、該折り込み部の表側に再帰反射シートを取り付けて袖反射部を形成し、昼間使用時には、長袖の折り込み部を畳んで袖反射部を隠蔽し、夜間使用時には、長袖の折り込み部を開いて袖反射部を表示させる昼夜兼用の作業服。
【請求項２】
少なくとも一方の長袖に開閉自在な筒状の折り込み部を設定し、該折り込み部の表側に再帰反射シートを取り付けて袖反射部を形成するとともに、袖口の裏側に所定幅の再帰反射シートを取り付けて袖口反射部を形成し、昼間使用時には、長袖の折り込み部を畳んで袖反射部を隠蔽し且つ袖口はそのままで着用し、夜間使用時には、長袖の折り込み部を開いて袖反射部を表示させ、さらに袖口を折り返して裏側の袖口反射部を表示させる昼夜兼用の作業服。
【請求項３】
少なくとも一方の長袖に開閉自在な筒状の折り込み部を設定し、該折り込み部の表側に再帰反射シートを取り付けて袖反射部を形成するとともに、作業服の後身頃に帯状の折り返し片を横方向に取り付け、該折り返し片の内側に再帰反射シートを取り付けて後反射部を形成し、昼間使用時には、長袖の折り込み部および後身頃の折り返し片を畳んで袖反射部および後反射部を隠蔽し、夜間使用時には、長袖の折り込み部および後身頃の折り返し片を開いて袖反射部および後反射部を表示させる昼夜兼用の作業服。
【請求項４】
少なくとも一方の長袖に開閉自在な筒状の折り込み部を設定し、該折り込み部の表側に再帰反射シートを取り付けて袖反射部を形成するとともに、作業服の裾裏側に帯状の折り返し片を取り付け、該折り返し片の外側に再帰反射シートを取り付けて裾反射部を形成し、昼間使用時には、長袖の折り込み部および裾裏側の折り返し片を畳んで袖反射部および裾反射部を隠蔽し、夜間使用時には、長袖の折り込み部および裾裏側の折り返し片を開いて袖反射部および裾反射部を表示させる昼夜兼用の作業服。
【請求項５】
少なくとも一方の長袖に開閉自在な筒状の折り込み部を設定し、該折り込み部の表側に再帰反射シートを取り付けて袖反射部を形成するとともに、袖口の裏側に所定幅の再帰反射シートを取り付けて袖口反射部を形成し、且つ作業服の後身頃および裾裏側に帯状の折り返し片をそれぞれ取り付け、両折り返し片の内側または外側に再帰反射シートを取り付けて後反射部および裾反射部を形成し、昼間使用時には、長袖の折り込み部を畳んで袖反射部を隠蔽し且つ袖口はそのままで着用し、さらに後身頃および裾裏側の折り返し片を畳んで後反射部および裾反射部も隠蔽し、夜間使用時には、長袖の折り込み部を開いて袖反射部を表示させ、且つ袖口を折り返して裏側の袖口反射部を表示させ、さらに後身頃および裾裏側の折り返し片を開いて袖反射部および裾反射部を表示させる昼夜兼用の作業服。
【請求項６】
前身頃および／または後身頃のヨーク下辺に再帰反射シートをパイピング状に縫着して常時反射部を形成する請求項１から５のいずれかに記載の作業服。
【考案の詳細な説明】
【技術分野】
【０００１】
本考案は、昼間には通常の作業服として、且つ夜間には安全作業服として使用できる昼夜兼用で着用できる作業服に関する。
【背景技術】
【０００２】
安全作業服は、一般に前身頃および後身頃に銀色の再帰反射テープをタスキ状に縫着し、夜間作業時に照明灯や自動車のヘッドライト光でテープ部を再帰反射させることにより、作業者の視認性を高めている。この安全作業服を着用することにより、夜間において作業者の存在を容易に相手に確認させ、人身事故や交通事故などの危険性を未然に回避することができる。
【０００３】
この種の安全作業服には各種の製品が存在し、例えば、実用新案登録第３０４５０７０号は、蓄光・蛍光発色層の一部に再帰反射部を散在させたシートに関し、この再帰反射・夜光シートを作業着に縫着している。この作業着は、昼間では太陽や投光などの照射によって再帰反射部が発光し、夜間では蓄光・蛍光発色層からの夜光がほぼ一晩中持続することにより、昼夜を違わず遠方位置から作業者の位置を目視で確認できる。
【０００４】
一方、特開２００２−１２９４１２号は、再帰反射シートを胸面と背面に縫着した安全チョッキを開示し、該チョッキの胸面と背面において再帰反射シートの色相が異なっている。このチョッキを着用した人を夜間に見ると、その身体の向きを再帰反射シートの色によって瞬時に見分けることができ、例えば、自動車運転手は交通誘導員または交通取締り警官の指示内容を的確に判断できる。
【特許文献１】実用新案登録第３０４５０７０号公報
【特許文献２】特開２００２−１２９４１２号公報
【考案の開示】
【考案が解決しようとする課題】
【０００５】
実用新案登録第３０４５０７０号に開示の再帰反射・夜光シートは、作業着に縫着すると昼夜を問わず作業者の位置を目視で確認できる反面、昼間に作業着の再帰反射部が見えると美観を損ない、昼間に太陽光などの照射で再帰反射部が発光すると、作業現場によっては作業ミスを誘発する要因になる場合がある。また、特開２００２−１２９４１２号に開示の安全チョッキは、再帰反射シートを胸面と背面に縫着しているので昼間使用時の美観を考慮しておらず、一般のマイカー運転者は、再帰反射シートの色相が異なっていても着用者の身体の向きを見分けることもできない。
【０００６】
本考案は、前記のような安全作業服に関する仕様とデザインを改善するために提案されたものであり、美観的に優れた昼夜兼用の作業服を提供することを目的としている。本考案の他の目的は、夜間用の安全作業服を別個に購入することなく、しかも昼間に再帰反射部が見えて作業ミスを誘発することがない昼夜兼用の作業服を提供することである。
【課題を解決するための手段】
【０００７】
本考案に係る昼夜兼用の作業服は、少なくとも一方の長袖に開閉自在な筒状の折り込み部を設定し、該折り込み部の表側に再帰反射シートを取り付けて袖反射部を形成する。この作業服の昼間使用時には、長袖の折り込み部を畳んで袖反射部を隠蔽し、夜間使用時には、長袖の折り込み部を開いて袖反射部を表示させる。所望に応じて、本考案の作業服において、その前身頃および／または後身頃のヨーク下辺に再帰反射シートをパイピング状に縫着して常時反射部を形成してもよい。
【０００８】
本考案の作業服は、袖口の裏側に所定幅の再帰反射シートを取り付けて袖口反射部を形成することが望ましい。この部分の構成について、昼間使用時には、袖口はそのままで着用し、夜間使用時には袖口を折り返して裏側の袖口反射部を表示させる。
【０００９】
好ましくは、本考案の作業服では、その後身頃に帯状の折り返し片を横方向に取り付け、該折り返し片の内側に再帰反射シートを取り付けて後反射部を形成する。この部分の構成について、昼間使用時には、後身頃の折り返し片を畳んで後反射部を隠蔽し、夜間使用時には、後身頃の折り返し片を開いて後反射部を表示させる。
【００１０】
さらに好ましくは、本考案の作業服では、その裾裏側に帯状の折り返し片を取り付け、該折り返し片の外側に再帰反射シートを取り付けて裾反射部を形成する。この部分の構成について、昼間使用時には、裾裏側の折り返し片を畳んで裾反射部を隠蔽し、夜間使用時には、裾裏側の折り返し片を開いて裾反射部を表示させる。
【００１１】
本考案を図面によって説明すると、作業服１の衿は、図１においてスタンドカラータイプであり、これはシャツカラーやオープンカラータイプなどでもよい。作業服１および再帰反射シートの色は特に限定する必要はないが、一般的に紺や黒系統の暗色系であると、昼間使用時に帯状に見える銀色の再帰反射シート１１，２０，２４，５０，５４，５８などがデザインのアクセントになって好ましい。さらに、作業服１は、図示のような裾を解放したスポーツシャツタイプやコートタイプにも、裾部をゴムで締めたジャンパータイプにも適用できる。再帰反射シート２０，２４，５０，５４，５８は、縫着、接着または融着などで作業服１の布地に取り付ければよい。
【００１２】
作業服１は、開閉自在な筒状の折り込み部１８を長袖５に設定し、該折り込み部の表側に再帰反射シート２０，２０を取り付けて袖反射部２２を形成することを要し、該折り込み部は作業服１の両方またはいずれか片方に設けることが可能である。長袖５は、折り込み部１８を開いた際にいっそう長くなり、これを袖口を折り返すことで元の長さに戻し、この袖口の裏側に再帰反射シート２４を取り付けて袖口反射部２６を形成することが考案の要旨である。作業服１には、さらに後反射部３２や裾反射部３４を形成すると夜間視認の点で望ましく、この場合に後反射部３２と裾反射部３４を組み合わせて折り込み部１８のような構成にすることも可能である。
【００１３】
作業服１の前身頃２，２では、ヨーク下辺に再帰反射シート１１をパイピング状に取り付けて細い常時反射部１２を形成すると美観的に好ましい。図示しないけれども、このような細い常時反射部１２は、後身頃のヨーク下辺に形成することもでき、さらにポケットの端辺、プラケット布６の縦辺、衿の周辺または裾やその端辺などに設けることが可能である。
【００１４】
作業服１において、長袖５の折り込み部１８および後身頃３の折り返し片５２には、折り返し可能とするために帯スナップ３６，５５（例えば、商品名：Ｚナップ、ＹＫＫニューマックス製）を縫着し、該帯スナップの代わりにスライドファスナ、両面ファスナ、市販のフックやホックなどを縫着または接着してもよい。また、作業服１の裾の折り返し片５６には、スライドファスナの代わりに、帯スナップ、両面ファスナ、市販のフックやホックなどを縫着または接着してもよい。
【考案の効果】
【００１５】
本考案に係る昼夜兼用の作業服は、昼間の使用時には、再帰反射シートの部分が殆ど隠れ、その一部が細い帯状に見えるだけであるから美観を損なうことがなく、服装のデザインとして優れている。この作業服は、夜間の使用時には、各部位に分散した再帰反射シートの部分が数多く表側に露出し、作業者の位置を目視で容易に確認できるので、夜間作業時の安全を確保できる。
【００１６】
本考案の作業服は、昼間の太陽光や照明灯などの照射で発光する再帰反射シートの部分が殆ど隠れているので、作業現場によっては、昼間の使用時に発光部分の存在によって作業ミスを誘発するようなおそれがない。本考案の作業服を着用すると、通常の作業服に加えて夜間用の安全作業服を別個に購入する必要がないので経済的でもある。
【考案を実施するための最良の形態】
【００１７】
次に、本考案を実施例に基づいて説明するが、本考案は実施例に限定されるものではない。本考案に係る作業服１の正面を図１に、その背面を図２に例示する。
【００１８】
図１および図２に示す作業服１は、例えば、２枚の前身頃２，２と後身頃３および長袖５，５からなり、前身頃２の一方に細長いプラケット布６を縦に配置してスタンドカラー８で全体を縫製し、前開き部にスライドファスナおよび数個の両面ファスナ（いずれも図示しない）を縫着する。前身頃２，２および後身頃３には、それぞれヨーク布８，１０を縫い付け、ヨーク布８の下辺は前身頃２の縦方向中間よりもやや上方に配置する。ヨーク布８の下辺において、再帰反射シート１１をパイピング状に縫着して細帯状の常時反射部１２を形成し、該ヨーク布の裏側にポケット１４，１４を設け、さらに下方にスリットポケット１５，１５を設ける。一方、ヨーク布１０の下辺は、後身頃３のほぼ縦方向中間に配置する。
【００１９】
両長袖５，５は、布地を筒状に縫製してから、その後端部を前身頃２と後身頃３の上方側部に縫着し、該長袖の前端部にはカフ布１６を筒状に縫製する。カフ布１６の表側には、両面ファスナの細長い一方１７を縫着し、さらにフラップ１９の裏側に両面ファスナの他方を縫着することにより、袖口の開口が調整可能である。
【００２０】
図３および図４から明らかなように、長袖５の上方に開閉自在な筒状の折り込み部１８を設定し、該折り込み部の幅だけ通常品よりも袖長を長くする。折り込み部１８では、その表側に細幅の再帰反射シート２０，２０を縫着する。再帰反射シート２０は、折り込みを容易にし且つ美観のために所定間隔をおいて２列配列し、この部分が袖反射部２２に相当する。一方、カフ布１６つまり袖口の裏側に所定幅の再帰反射シート２４（図５参照）を筒状に縫着することにより、袖口反射部２６を形成する。袖口反射部２６の横幅は、折り込み部１８の幅とほぼ等しくなるように定める。再帰反射シート２４の表面には透明ビニルフィルム（図示しない）を重ね縫いし、該フィルムによって再帰反射シート２４の汚れを防止する。
【００２１】
作業服１で用いる再帰反射シート１１，２０，２４は、図７から明らかように、一般に、表面に散布された微細なガラスビーズ２７、反射樹脂層２８および基布３０を有する。反射樹脂層２８は、例えば、透明性を有する顔料を含むメタクリル系などの合成樹脂からなり、該樹脂層には金属粉，雲母，金属蒸着片，魚燐粉などの鏡面反射物質を添加している。この再帰反射シートを製造するには、通常白色の基布３０上にローラーやスプレーで反射樹脂層２８を塗布する。ガラスビーズ２７は、塗布した反射樹脂層２８が軟化または溶融状態にあるときに上方から基布３０上に密に散布し、所望に応じてローラなどで適宜に加圧して乾燥すればよい。この再帰反射シートは、後反射部３２（図４）および裾反射部３４（図３，図４）についても同様である。
【００２２】
長袖５の折り込み部１８（図５参照）は、任意に折り込み可能とするためにその両側辺に沿って帯スナップ３６（商品名：Ｚナップ）を縫い込んでいる。帯スナップ３６は、図８（１）および（２）に例示するように、側端にプラスチック係合片３８，４０をそれぞれ固着した布テープ４２，４４からなり、各係合片３８，４０を相互に対応させ、所定間隔をおいて配置する。一方の係合片３８は低い突起４６を有する細板状であり、他方の係合片４０は係合片３８が挿入可能な平筒状であって、突起４６が嵌り込む孔４８を上側壁に設ける。
【００２３】
長袖５において、帯スナップ３６の各係合片３８を係合片４０に挿入して折り込み部１８を畳むと、布テープ４２，４４は若干の間隙を持って係合され、該折り込み部の再帰反射シート２０，２０を隠蔽し、該再帰反射シートの一部が外側から帯状に見えるので美観的に好ましい（図１参照）。帯スナップ３６の布テープ４２，４４を反対向きに引っ張ると、折り込み部１８が容易に開いて長袖５が長くなり、再帰反射シート２０，２０が見えるようになる（図３参照）。
【００２４】
後身頃３には、図４に示すように横方向に後反射部３２を形成する。後身頃３において、ヨーク布１０の下辺より下方に帯状の再帰反射シート５０を縫着し、該再帰反射シートを隠蔽する折り返し片５２（図２）を横方向に配置し、その下方長辺を後身頃３に縫い付ける。折り返し片５２の内側にも再帰反射シート５４を縫着し、再帰反射シート５０，５４によって後反射部３２を構成する。折り返し片５２の開閉には、前記と同様の帯スナップ５５を用いる。帯スナップ５５の一方の布テープを折り返し片５２の自由長片に沿って縫い付け、他方の布テープをヨーク布１０とともに横方向に縫い込む。
【００２５】
後身頃３において、帯スナップ５５の各係合片３８を係合片４０に挿入して折り返し片５２を閉じると（図２参照）、該折り返し片の上方長片から再帰反射シート５０が帯状に見える。帯スナップ５５の両布テープを反対向きに引っ張ると、折り返し片５２を容易に開くことができ、再帰反射シート５０，５４が見えるようになる（図４参照）。
【００２６】
作業服１の裾１ａには、その裏側に裾反射部３４を環状に形成する。図６に示すように、作業服１の裾裏側に帯状の折り返し片５６を配置し、その下方長辺を作業服１の裾に沿って縫着するとともに、該折り返し片の外側に再帰反射シート５８を縫着する。スライドファスナ６０は、一方の布テープを折り返し片５６の自由長片に沿って縫い付け、他方の布テープを作業服１の裏側において裾端から折り返し片５６の幅だけ上がった位置で横方向に縫い付ける。
【００２７】
作業服１の裾１ａにおいて、折り返し片５６を内方へ畳んでスライドファスナ６０を閉じると、折り返し片５６は作業服１の裾で完全に隠れている（図２および図６参照）。図６の一点鎖線で示すように、スライドファスナ６０を開くと、折り返し片５２を下方へ解放することができ、再帰反射シート５８が見えるようになる（図３，図４参照）。
【００２８】
作業服１を昼間に使用する際には、図１と図２に示すように、長袖５，５の帯スナップ３６を係合して折り込み部１８を畳み、該折り込み部の再帰反射シート２０，２０を隠蔽するとともに、後身頃３の帯スナップ５５を係合して折り返し片５２を閉じる。また、作業服１の裾１ａにおいて、折り返し片５６を内方へ畳んでスライドファスナ６０を閉じておく。昼間使用時において、紺系統の服地色に対して、正面からは両長袖上方部の再帰反射シート５０が帯状に白く見え、且つ前身頃２，２上方の横方向に常時反射部１２が細く光る。作業服背面では、後身頃３のほぼ縦方向中間に再帰反射シート５０も帯状に白く見えている。作業服１では、再帰反射部の一部が細い帯状に見えてデザイン上でアクセントになり、美観的に優れている。
【００２９】
一方、作業服１の夜間使用時には、図３と図４に示すように、長袖５，５の帯スナップ３６を開いて、折り込み部１８を開放して再帰反射シート２０，２０を露出させる。これと同時に、長袖５，５の袖口を折り返して袖口反射部２６の再帰反射シート２４を露出させる。後身頃３では、帯スナップ５５を開き、折り返し片５２を開放して再帰反射シート５０，５４を露出させる。また、作業服１の裾１ａにおいて、スライドファスナ６０を開き、折り返し片５２を下方へ開放して再帰反射シート５８を露出させる。
【００３０】
作業服１は、夜間の使用時において、正面では長袖５，５における袖反射部２２、袖口反射部２６および裾反射部３４が帯状に光って見え、さらに前身頃２，２上方の常時反射部１２も見え、各部位に分散した再帰反射シート２０，２０，２４，５８によって作業者の位置を目視で確認できる。また、作業服の背面では、後反射部３２が帯状に光って見え、再帰反射シート５０，５４が加わることによって作業者の位置を目視で容易に確認でき、夜間作業時の安全を確保できる。
【図面の簡単な説明】
【００３１】
【図１】本考案に係る作業服の一例の昼間使用時を示す正面図である。
【図２】図１の作業服の背面図である。
【図３】図１の作業服の夜間使用時を示す正面図である。
【図４】図３の作業服の背面図である。
【図５】作業服の長袖を示す概略縦断面図である。
【図６】作業服の裾部を示す概略横断面図である。
【図７】本考案で用いる再帰反射シートの一例を示す拡大断面図である。
【図８】本考案で用いる帯スナップについて、（１）で開いた状態および（２）で閉じた状態を示す部分平面図である。
【符号の説明】
【００３２】
１    作業服
２，２    前身頃
３    後身頃
５，５    長袖
１１，２０，２０，２４，５８    再帰反射シート
１２    常時反射部
１８    折り込み部
２２    袖反射部
２６    袖口反射部
３２    後反射部
３４    裾反射部
【図１】
0003103267.tif 000003
【図２】
0003103267.tif 000004
【図３】
0003103267.tif 000005
【図４】
0003103267.tif 000006
【図５】
0003103267.tif 000007
【図６】
0003103267.tif 000008
【図７】
0003103267.tif 000009
【図８】
0003103267.tif 000010